(57)【特許請求の範囲】
【請求項１】
ランダムアクセスのための方法であって、前記方法は、
ネットワーク装置が複数のプリセットリソース上で複数のランダムアクセス信号を受信し、前記複数のプリセットリソース内の１つのプリセットリソースが前記複数のランダムアクセス信号内の１つのランダムアクセス信号に対応するステップと、
前記ネットワーク装置が前記複数のプリセットリソースに基づいてネットワーク一時識別子ＲＮＴＩを決定するステップと、
前記ネットワーク装置が前記ＲＮＴＩによりスクランブルされた前記複数のランダムアクセス信号のランダムアクセス応答を送信するステップと、を含み、
前記複数のプリセットリソース上で受信された複数のランダムアクセス信号は１つのランダムアクセス応答に対応することを特徴とする
ランダムアクセスのための方法。
【請求項２】
前記ネットワーク装置が前記ＲＮＴＩによりスクランブルされた前記複数のランダムアクセス信号のランダムアクセス応答を送信する前に、前記方法は、
前記ネットワーク装置が前記複数のランダムアクセス信号のランダムアクセス応答を前記ＲＮＴＩによってスクランブルすると決定するステップをさらに含むことを特徴とする
請求項１に記載の方法。
【請求項３】
前記ネットワーク装置が複数のプリセットリソース上で複数のランダムアクセス信号を受信する前に、前記方法は、
前記ネットワーク装置が第１指示情報を送信するステップをさらに含み、前記第１指示情報は複数のプリセットリソースセットを指示することに用いられ、前記複数のプリセットリソースセット内の各プリセットリソースセットは前記複数のプリセットリソースを含み、前記複数のプリセットリソースセットは第１プリセットリソースセットを含み、前記第１プリセットリソースセットは前記複数のプリセットリソースを含み、
ネットワーク装置が複数のプリセットリソース上で複数のランダムアクセス信号を受信するステップは、
前記ネットワーク装置が前記第１プリセットリソースセットに含まれる前記複数のプリセットリソース上で前記複数のランダムアクセス信号を受信するステップを含むことを特徴とする
請求項１又は２に記載の方法。
【請求項４】
ランダムアクセスのための方法であって、前記方法は、
端末装置が複数のプリセットリソース上でネットワーク装置に複数のランダムアクセス信号を送信し、前記複数のプリセットリソース内の１つのプリセットリソースが前記複数のランダムアクセス信号内の１つのランダムアクセス信号に対応するステップと、
前記端末装置が前記複数のプリセットリソースに基づいて、ネットワーク一時識別子ＲＮＴＩを決定するステップと、
前記端末装置が前記ネットワーク装置により送信された前記複数のランダムアクセス信号のランダムアクセス応答を受信するステップと、
前記端末装置が前記ＲＮＴＩを利用して前記ランダムアクセス応答を検出するステップと、を含み、
前記複数のプリセットリソース上で送信された複数のランダムアクセス信号は１つのランダムアクセス応答に対応することを特徴とする
ランダムアクセスのための方法。
【請求項５】
前記端末装置が複数のプリセットリソース上でネットワーク装置に複数のランダムアクセス信号を送信する前に、前記方法は、
前記端末装置が前記複数のプリセットリソースを決定するステップを含むことを特徴とする
請求項４に記載の方法。
【請求項６】
前記端末装置が前記複数のプリセットリソースを決定するステップは、
前記端末装置が前記ネットワーク装置により送信された第１指示情報を受信し、前記第１指示情報は複数のプリセットリソースセットを指示することに用いられ、前記複数のプリセットリソースセット内の各プリセットリソースセットは前記複数のプリセットリソースを含むステップと、
前記端末装置が前記第１指示情報により指示された前記複数のプリセットリソースセット内に第１プリセットリソースセットを決定するステップと、
前記端末装置が前記第１プリセットリソースセット内に前記複数のプリセットリソースを決定するステップと、を含むことを特徴とする
請求項５に記載の方法。
【請求項７】
前記第１指示情報は具体的には、前記複数のプリセットリソースセット内の各プリセットリソースセット内の第２プリセットリソース及びリソースオフセット量を指示することに用いられ、
前記端末装置が前記複数のプリセットリソースを決定するステップは、
前記端末装置が前記第１指示情報に基づいて第２プリセットリソースを決定するステップと、
前記端末装置が前記第２プリセットリソース及び前記リソースオフセット量に基づいて前記複数のプリセットリソースにおける前記第２プリセットリソース以外の余剰プリセットリソースを決定するステップと、を含むことを特徴とする
請求項６に記載の方法。
【請求項８】
前記端末装置が前記ネットワーク装置により送信された前記複数のランダムアクセス信号のランダムアクセス応答を受信するステップは、
前記端末装置が、前記複数のランダムアクセス信号の少なくとも１つのランダムアクセス応答ウィンドウ内に、前記ネットワーク装置により送信された前記複数のランダムアクセス信号のランダムアクセス応答を受信するステップを含むことを特徴とする
請求項４〜７のいずれか１項に記載の方法。
【請求項９】
前記方法は、
前記少なくとも１つのランダムアクセス応答ウィンドウ内の任意１つのランダムアクセス応答ウィンドウが終了する前に、前記端末装置が前記ネットワーク装置により送信された前記ランダムアクセス応答を受信すると、前記端末装置が前記ネットワーク装置への後続のランダムアクセス信号の送信を停止するステップ、又は
前記少なくとも１つのランダムアクセス応答ウィンドウ内の第１ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続けるステップ、又は
前記少なくとも１つのランダムアクセス応答ウィンドウ内の各ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続けるステップをさらに含むことを特徴とする
請求項８に記載の方法。
【請求項１０】
ランダムアクセスのための装置であって、前記装置は、
複数のプリセットリソース上で複数のランダムアクセス信号を受信することに用いられ、前記複数のプリセットリソース内の１つのプリセットリソースが前記複数のランダムアクセス信号内の１つのランダムアクセス信号に対応する受信モジュールと、
前記複数のプリセットリソースに基づいてネットワーク一時識別子ＲＮＴＩを決定することに用いられる決定モジュールと、
前記ＲＮＴＩによりスクランブルされた前記複数のランダムアクセス信号のランダムアクセス応答を送信することに用いられる送信モジュールと、を備え、
前記複数のプリセットリソース上で受信された複数のランダムアクセス信号は１つのランダムアクセス応答に対応することを特徴とする
ランダムアクセスのための装置。
【請求項１１】
前記決定モジュールはさらに、
前記ＲＮＴＩによりスクランブルされた前記複数のランダムアクセス信号のランダムアクセス応答を送信する前に、前記複数のランダムアクセス信号のランダムアクセス応答を前記ＲＮＴＩによってスクランブルすると決定することに用いられ、又は、
前記決定モジュールは具体的には、
前記複数のプリセットリソース内の第１プリセットリソースに基づいて前記ＲＮＴＩを決定することに用いられることを特徴とする
請求項１０に記載の装置。
【請求項１２】
前記送信モジュールはさらに、
複数のプリセットリソース上で複数のランダムアクセス信号を受信する前に、第１指示情報を送信することに用いられ、前記第１指示情報は複数のプリセットリソースセットを指示することに用いられ、前記複数のプリセットリソースセット内の各プリセットリソースセットは前記複数のプリセットリソースを含み、前記複数のプリセットリソースセットは第１プリセットリソースセットを含み、前記第１プリセットリソースセットは前記複数のプリセットリソースを含み、
前記受信モジュールは具体的には、前記第１プリセットリソースセットに含まれる前記複数のプリセットリソース上で前記複数のランダムアクセス信号を受信することに用いられることを特徴とする
請求項１０又は１１に記載の装置。
【請求項１３】
前記送信モジュールは具体的には、
前記第１プリセットリソースセットに含まれるすべてのプリセットリソース上で前記複数のランダムアクセス信号を受信した後、前記ＲＮＴＩによりスクランブルされたランダムアクセス応答を送信することに用いられ、前記すべてのプリセットリソースは前記複数のプリセットリソースを含むことを特徴とする
請求項１２に記載の装置。
【請求項１４】
前記第１指示情報は具体的には、前記複数のプリセットリソースセット内の各プリセットリソースセット内の第２プリセットリソース及びリソースオフセット量を指示することに用いられることを特徴とする
請求項１２又は１３に記載の装置。
【請求項１５】
前記リソースオフセット量は、
ルートシーケンス番号のオフセット、周波数領域リソースのオフセット、時間領域リソースのオフセット及びシーケンスの循環シフトのオフセットのうちの少なくとも１項を含むことを特徴とする
請求項１４に記載の装置。
【請求項１６】
前記受信モジュールは具体的には、
第１ビームで前記複数のプリセットリソース上で送信された前記複数のランダムアクセス信号を、ビーム数が前記複数のランダムアクセス信号のランダムアクセス信号数以下である複数のビームで前記複数のプリセットリソース上で受信することに用いられることを特徴とする
請求項１０〜１５のいずれか１項に記載の装置。
【請求項１７】
前記受信モジュールは具体的にはさらに、
ビーム数が前記複数のランダムアクセス信号のランダムアクセス信号数の以下である複数のビームで順に連続送信された前記複数のランダムアクセス信号を、第２ビームで前記複数のプリセットリソース上で受信することに用いられることを特徴とする
請求項１０〜１５のいずれか１項に記載の装置。
【請求項１８】
前記決定モジュールはさらに、
複数のビームで順に送信された前記複数のランダムアクセス信号を、第２ビームで前記複数のプリセットリソース上で受信した後、前記複数のランダムアクセス信号の信号エネルギーに基づいて、前記複数のビームのうちデータを伝送するための第３ビームを決定することに用いられ、前記ランダムアクセス応答は、前記第３ビームでデータを伝送することを指示するための第２指示情報を含むことを特徴とする
請求項１７に記載の装置。
【請求項１９】
ランダムアクセスのための装置であって、前記装置は、
複数のプリセットリソース上でネットワーク装置に複数のランダムアクセス信号を送信することに用いられ、前記複数のプリセットリソース内の１つのプリセットリソースが前記複数のランダムアクセス信号内の１つのランダムアクセス信号に対応する送信モジュールと、
前記複数のプリセットリソースに基づいて、ネットワーク一時識別子ＲＮＴＩを決定することに用いられる処理モジュールと、
前記ネットワーク装置により送信された前記複数のランダムアクセス信号のランダムアクセス応答を受信することに用いられる受信モジュールと、を備え、
前記処理モジュールはさらに、前記ＲＮＴＩを利用して前記ランダムアクセス応答を検出することに用いられ、
前記複数のプリセットリソース上で送信された複数のランダムアクセス信号は１つのランダムアクセス応答に対応することを特徴とする
ランダムアクセスのための装置。
【請求項２０】
前記処理モジュールはさらに、
複数のプリセットリソース上でネットワーク装置に複数のランダムアクセス信号を送信する前に、前記複数のプリセットリソースを決定することに用いられ、又は、
前記処理モジュールは具体的にはさらに、
前記複数のプリセットリソース内の第１プリセットリソースに基づいて、前記ＲＮＴＩを決定することに用いられることを特徴とする
請求項１９に記載の装置。
【請求項２１】
前記受信モジュールはさらに、
ネットワーク装置により送信された第１指示情報を受信することに用いられ、前記第１指示情報は複数のプリセットリソースセットを指示することに用いられ、前記複数のプリセットリソースセット内の各プリセットリソースセットは前記複数のプリセットリソースを含み、
前記処理モジュールは具体的には、前記第１指示情報により指示された前記複数のプリセットリソースセット内に第１プリセットリソースセットを決定し、且つ前記第１プリセットリソースセット内に前記複数のプリセットリソースを決定することに用いられることを特徴とする
請求項２０に記載の装置。
【請求項２２】
前記第１指示情報は具体的には、前記複数のプリセットリソースセット内の各プリセットリソースセット内の第２プリセットリソース及びリソースオフセット量を指示することに用いられ、
前記処理モジュールは具体的にはさらに、前記第１指示情報に基づいて第２プリセットリソースを決定し、且つ前記第２プリセットリソース及び前記リソースオフセット量に基づいて、前記複数のプリセットリソースにおける前記第２プリセットリソース以外の余剰プリセットリソースを決定することに用いられることを特徴とする
請求項２１に記載の装置。
【請求項２３】
前記リソースオフセット量は、
ルートシーケンス番号のオフセット、周波数領域リソースのオフセット、時間領域リソースのオフセット及びシーケンスの循環シフトのオフセットのうちの少なくとも１項を含むことを特徴とする
請求項２２に記載の装置。
【請求項２４】
前記送信モジュールは具体的には、
第１ビームで前記複数のプリセットリソース上で前記ネットワーク装置に前記複数のランダムアクセス信号を連続送信することに用いられることを特徴とする
請求項１９〜２３のいずれか１項に記載の装置。
【請求項２５】
前記送信モジュールは具体的にはさらに、
ビーム数が前記複数のランダムアクセス信号のランダムアクセス信号数以下である複数のビームで前記複数のプリセットリソース上で前記ネットワーク装置に前記複数のランダムアクセス信号を送信することに用いられることを特徴とする
請求項１９〜２３のいずれか１項に記載の装置。
【請求項２６】
前記送信モジュールは具体的にはさらに、
前記複数のビームで前記複数のプリセットリソース上で前記ネットワーク装置に前記複数のランダムアクセス信号を順に連続送信することに用いられることを特徴とする
請求項２５に記載の装置。
【請求項２７】
前記ランダムアクセス応答は、前記装置が前記複数のビーム内の第３ビームでデータを伝送することを指示するための第２指示情報を含み、前記装置は、
前記ネットワーク装置により送信された前記複数のランダムアクセス信号のランダムアクセス応答を受信した後、前記第２指示情報により指示された前記第３ビームでデータを伝送することに用いられる伝送モジュールをさらに備えることを特徴とする
請求項２５又は２６に記載の装置。
【請求項２８】
前記受信モジュールは具体的には、
前記複数のランダムアクセス信号の少なくとも１つのランダムアクセス応答ウィンドウ内に、前記ネットワーク装置により送信された前記複数のランダムアクセス信号のランダムアクセス応答を受信することに用いられることを特徴とする
請求項１９〜２７のいずれか１項に記載の装置。
【請求項２９】
前記処理モジュールはさらに、
前記少なくとも１つのランダムアクセス応答ウィンドウ内の任意１つのランダムアクセス応答ウィンドウが終了する前に、前記受信モジュールが前記ネットワーク装置により送信された前記ランダムアクセス応答を受信すると、前記ネットワーク装置への後続のランダムアクセス信号の送信を停止することに用いられることを特徴とする
請求項２８に記載の装置。
【請求項３０】
前記送信モジュールはさらに、
前記少なくとも１つのランダムアクセス応答ウィンドウ内の第１ランダムアクセス応答ウィンドウが終了したが、前記受信モジュールが前記ネットワーク装置により送信された前記ランダムアクセス応答を受信していないと、前記ネットワーク装置に後続のランダムアクセス信号を送信し続けること、又は
前記少なくとも１つのランダムアクセス応答ウィンドウ内の各ランダムアクセス応答ウィンドウが終了したが、前記受信モジュールが前記ネットワーク装置により送信された前記ランダムアクセス応答を受信していないと、前記ネットワーク装置に後続のランダムアクセス信号を送信し続けることに用いられることを特徴とする
請求項２９に記載の装置。
【発明の詳細な説明】
【技術分野】
【０００１】
本発明の実施例は通信分野に関し、特に通信分野のランダムアクセスのための方法及び装置に関する。
【背景技術】
【０００２】
将来のネットワークシステムにおいて、異なるビームが異なる方向及び異なるカバーエリアに対応し、端末装置のネットワークへのランダムアクセス過程で、端末装置がネットワーク装置にランダムアクセス信号を送信する必要があり、ネットワーク装置が複数のランダムアクセス信号を受信すると、ネットワーク装置が複数のランダムアクセス応答を応答するが、当該複数のランダムアクセス応答が複数のネットワーク一時識別子に対応し、当該複数のランダムアクセス応答が１つの端末装置に対応すると、当該端末装置がランダムアクセス応答を検出できず、更に端末装置とネットワーク装置との通信リンクを作成しにくく、端末装置とネットワーク装置とは正常に通信できなくなってしまう。
【発明の概要】
【発明が解決しようとする課題】
【０００３】
本発明の実施例に係るランダムアクセスのための方法及び装置によって、端末装置とネットワーク装置とは正常に通信できる。
【課題を解決するための手段】
【０００４】
第１態様は、ランダムアクセスのための方法を提供し、当該方法は、ネットワーク装置が複数のプリセットリソース上で複数のランダムアクセス信号を受信し、前記複数のプリセットリソース内の１つのプリセットリソースが前記複数のランダムアクセス信号内の１つのランダムアクセス信号に対応するステップと、前記ネットワーク装置が前記複数のプリセットリソースに基づいてネットワーク一時識別子（Ｒａｄｉｏ  Ｎｅｔｗｏｒｋ  Ｔｅｍｐｏｒａｒｙ  Ｉｄｅｎｔｉｆｉｅｒ、「ＲＮＴＩ」と略称）を決定するステップと、前記ネットワーク装置が前記ＲＮＴＩによりスクランブルされた前記複数のランダムアクセス信号のランダムアクセス応答を送信するステップと、を含む。
【０００５】
本発明の実施例では、ネットワーク装置は複数のプリセットリソース上で複数のランダムアクセス信号を受信する時、当該複数のランダムアクセス信号のために１つのランダムアクセス応答を返し、且つ複数のプリセットリソースにより決定されたＲＮＴＩ識別子を利用してスクランブルし、このようにして端末装置はランダムアクセス応答を受信した時、ＲＮＴＩに基づいてランダムアクセス応答を検出し、ネットワーク装置により自身へ送信されたランダムアクセス応答であると決定し、それによりネットワークに正常にアクセスでき、ネットワーク装置との通信リンクを作成でき、それによりネットワーク装置と端末装置とは正常に通信することができる。
【０００６】
選択肢として、ネットワーク装置が複数のランダムアクセス信号を受信することはネットワーク装置が１つの端末装置により送信された複数のランダムアクセス信号を受信することであってもよく、端末装置がネットワーク装置に当該複数のランダムアクセス信号を送信することは端末装置がネットワーク装置に前記複数のランダムアクセス信号を連続送信することであってもよく、ここでの連続送信はランダムアクセス応答を受信していない時にランダムアクセス信号を送信することを示し、即ち、本発明の実施例は連続送信がリソース上での連続であるか否かを限定せず、ランダムアクセス応答を受信していない時に特定の時間周波数リソース間隔で複数のランダムアクセス信号を送信することは、複数のランダムアクセス信号を連続送信すると呼称されてもよい。即ち、本発明の実施例は連続送信が特定のリソース上で連続であるか否かを限定しない。
【０００７】
選択肢として、複数のプリセットリソースはネットワーク装置と端末装置とがプロトコルによって規定されたものであってもよく、又はネットワークによって設定されたものであってもよく、即ち、当該複数のプリセットリソース上で受信された複数のランダムアクセス信号は共通の１つのランダムアクセス応答を有し、且つネットワーク装置と端末装置とは複数のプリセットリソースで１つのＲＮＴＩを決定することをプロトコルによって規定することができ、このようにして当該複数のプリセットリソース上で受信された複数のランダムアクセス信号であれば、１つの端末装置からのものである可能性があると見なされ、決定された１つのＲＮＴＩを利用して当該ランダムアクセス応答をスクランブルし、このようにして、端末装置はプロトコルによって規定されたＲＮＴＩ決定方式で、ＲＮＴＩを決定することができ、端末装置は決定されたＲＮＴＩを利用してランダムアクセス応答を検出し、端末装置はランダムアクセス応答の検出に成功すると、ランダムアクセスが成功したと見なされ、ネットワーク装置との通信リンクを作成することができる。
【０００８】
選択肢として、ネットワーク装置は複数のビームで当該複数のランダムアクセス信号を受信してもよく、即ち、ネットワーク装置は１回で前記複数のランダムアクセス信号を受信することができ、ネットワーク装置は１つのビームで当該複数のランダムアクセス信号を受信してもよく、即ち、ネットワーク装置は複数回で前記複数のランダムアクセス信号を受信することができる。
【０００９】
選択肢として、複数のランダムアクセス信号は完全に同じランダムアクセス信号であってもよく、たとえば、ランダムアクセス信号を送信するビームが同じであり、且つ複数のランダムアクセス信号が同じ符号化方式を採用し、複数のランダムアクセス信号は異なるランダムアクセス信号であってもよく、たとえば、複数のランダムアクセス信号を送信するビームが異なる場合に異なるランダムアクセス信号であると呼称され、複数のランダムアクセス信号の符号化方式が異なる場合にも異なるランダムアクセス信号であると呼称され、本発明の実施例はこれを制限しない。
【００１０】
選択肢として、複数のプリセットリソース内の各プリセットリソースはシーケンス、時間領域リソース及び周波数領域リソースのうちの少なくとも１項を含む。
【００１１】
いくつかの実施形態では、前記ネットワーク装置が前記ＲＮＴＩによりスクランブルされた前記複数のランダムアクセス信号のランダムアクセス応答を送信する前に、前記方法は、前記ネットワーク装置が前記複数のランダムアクセス信号のランダムアクセス応答を前記ＲＮＴＩによってスクランブルすると決定するステップをさらに含む。
【００１２】
本発明の実施例では、複数のプリセットリソースは予め規定されたリソースであってもよく、当該複数のプリセットリソース上で複数のランダムアクセス信号を送信する限り、当該複数のランダムアクセス信号のために１つのランダムアクセス応答を返すだけでよく、従って、ネットワーク装置は当該複数のプリセットリソース上で当該複数のランダムアクセス信号を受信し、且つ当該複数のプリセットリソースに基づいて１つのＲＮＴＩを決定することができ、このようにして、ネットワーク装置は、当該複数のプリセットリソース上で受信された複数のランダムアクセス信号のランダムアクセス応答をＲＮＴＩによってスクランブルすると決定することができ、ネットワーク装置が前記複数のプリセットリソース上で前記複数のランダムアクセス信号を受信する場合ではないと、たとえば、複数の第１プリセットリソース上で複数のランダムアクセス信号の第１部分ランダムアクセス信号を受信し、複数の第２プリセットリソース上で複数のランダムアクセス信号の余剰の第２部分ランダムアクセス信号を受信する可能性がある場合、ネットワーク装置は、第１部分ランダムアクセス信号のために１つのランダムアクセス応答を返し、第２部分ランダムアクセス信号のために１つのランダムアクセス応答を返す必要があり、且つネットワーク装置は、複数の第１プリセットリソースに基づいて第１ＲＮＴＩを決定し、第１ＲＮＴＩを利用して第１部分ランダムアクセス信号のランダムアクセス応答をスクランブルし、複数の第２プリセットリソースに基づいて第２ＲＮＴＩを決定し、第２ＲＮＴＩを利用して第２部分ランダムアクセス信号のランダムアクセス応答をスクランブルする必要がある。
【００１３】
いくつかの実施形態では、前記ネットワーク装置が前記複数のプリセットリソースに基づいてネットワーク一時識別子ＲＮＴＩを決定するステップは、前記ネットワーク装置が前記複数のプリセットリソース内の第１プリセットリソースに基づいて前記ＲＮＴＩを決定するステップを含む。
【００１４】
本発明の実施例では、ネットワーク装置と端末装置とは第１プリセットリソースセット内の特定のプリセットリソースを採用してＲＮＴＩを計算することを予め協議し決定することができ、ネットワーク装置は、複数のプリセットリソース上で複数のランダムアクセス信号を受信した場合、当該複数のプリセットリソースが第１プリセットリソースセットに属すると決定でき、そして、当該第１プリセットリソースセット内の特定のプリセットリソースに基づいてＲＮＴＩを計算することができ、即ち、特定のプリセットリソースとＲＮＴＩとの間にマッピング関係が存在し、当該特定のプリセットリソースが複数のプリセットリソース内の一つのプリセットリソースであってもよく、複数のプリセットリソース内のプリセットリソースではなくてもよく、当該特定のプリセットリソースが当該複数のプリセットリソース内のプリセットリソースではない場合、ネットワーク装置は、当該複数のプリセットリソースが第１プリセットリソースセットに属すると判断すると、当該第１プリセットリソースセットの特定のプリセットリソースを推定でき、さらに、特定のプリセットリソースとＲＮＴＩとのマッピング関係に基づいてＲＮＴＩを決定することができる。
【００１５】
いくつかの実施形態では、前記ネットワーク装置が複数のプリセットリソース上で複数のランダムアクセス信号を受信する前に、前記方法は、前記ネットワーク装置が第１指示情報を送信するステップをさらに含み、前記第１指示情報は複数のプリセットリソースセットを指示することに用いられ、前記複数のプリセットリソースセット内の各プリセットリソースセットの複数のプリセットリソース上で送信された複数のランダムアクセス信号は１つのランダムアクセス応答に対応し、前記複数のプリセットリソースセットは第１プリセットリソースセットを含み、前記第１プリセットリソースセットは前記複数のプリセットリソースを含み、ネットワーク装置が複数のプリセットリソース上で複数のランダムアクセス信号を受信するステップは、前記ネットワーク装置が前記第１プリセットリソースセットに含まれる前記複数のプリセットリソース上で前記複数のランダムアクセス信号を受信するステップを含む。
【００１６】
本発明の実施例では、ネットワーク装置は第１指示情報によって複数のプリセットリソースセットを指示することができ、勿論、当該複数のプリセットリソースセットはプロトコルによって規定された複数のプリセットリソースセットであってもよく、ネットワーク装置及び端末装置はともに、プロトコルの規定に基づいて当該複数のプリセットリソースセットを取得することができる。当該複数のプリセットリソースセット内の各プリセットリソースセット内の要素はいずれも１つのランダムアクセス応答に対応し、即ち、各プリセットリソースセット内の要素はいずれも１つのＲＮＴＩに対応し、このようにして、１つのプリセットリソースセットが１つのランダムアクセス応答及び１つのＲＮＴＩに対応することを確保することができ、さらに、端末装置のために唯一のＲＮＴＩを割り当てることができる。理解すべきなのは、当該複数のプリセットリソースセット内の各プリセットリソースセットの複数のプリセットリソースはプリセットリソースの個数を指し、即ち、各プリセットリソースセットが複数のプリセットリソースを含むことを示し、且つ各プリセットリソースセット内のプリセットリソースの個数は同じであってもよく、又は異なってもよく、当該第１プリセットリソースセットに含まれるプリセットリソースの個数は第１態様に記載の複数のプリセットリソースであってもよい。
【００１７】
いくつかの実施形態では、前記ネットワーク装置が前記ＲＮＴＩによりスクランブルされたランダムアクセス応答を送信するステップは、前記ネットワーク装置が前記第１プリセットリソースセットに含まれるすべてのプリセットリソース上で前記複数のランダムアクセス信号を受信した後、前記ネットワーク装置が前記ＲＮＴＩによりスクランブルされたランダムアクセス応答を送信するステップを含み、前記すべてのプリセットリソースは前記複数のプリセットリソースを含む。
【００１８】
本発明の実施例では、ネットワーク装置は第１プリセットリソースセット内のすべてのプリセットリソースを検出することができ、すべてのプリセットリソース上で複数のランダムアクセス信号を受信した後、ネットワーク装置は複数のランダムアクセス信号のランダムアクセス応答を送信し、即ち、第１プリセットリソースセットに含まれるプリセットリソースの個数は複数のランダムアクセス信号の数と同じであり、又は、ネットワーク装置は、第１プリセットリソースセット内の少なくとも２つのプリセットリソース上で少なくとも２つのランダムアクセス信号を受信する限り、余剰のプリセットリソースを検出せず、当該少なくとも２つのプリセットリソース上で受信された少なくとも２つのランダムアクセス信号のために、１つのＲＮＴＩを利用してスクランブルされた１つのランダムアクセス応答を返すことができ、即ち、ここでの少なくとも２つのプリセットリソースは前記複数のプリセットリソースであってもよく、少なくとも２つのランダムアクセス信号は前記複数のランダムアクセス信号であってもよく、このようにして、ネットワーク装置が第１プリセットリソースセット内のすべてのプリセットリソースを検出した後にランダムアクセス応答を送信することを回避することができ、ランダムアクセスの遅延を低減させることができる。
【００１９】
いくつかの実施形態では、前記第１指示情報は具体的には、前記複数のプリセットリソースセット内の各プリセットリソースセット内の第２プリセットリソース及びリソースオフセット量を指示することに用いられる。たとえば、当該第２プリセットリソースは各プリセットリソースセット内の一番目のプリセットリソースであってもよい。
【００２０】
いくつかの実施形態では、前記リソースオフセット量は、ルートシーケンス（ｒｏｏｔ  ｓｅｑｕｅｎｃｅ）番号のオフセット、周波数領域リソースのオフセット、時間領域リソースのオフセット及びシーケンスの循環シフト（ｃｙｃｌｉｃ  ｓｈｉｆｔ）のオフセットのうちの少なくとも１項を含む。
【００２１】
いくつかの実施形態では、前記ネットワーク装置が複数のプリセットリソース上で、送信された複数のランダムアクセス信号を受信するステップは、前記ネットワーク装置が、第１ビームで前記複数のプリセットリソース上で送信された前記複数のランダムアクセス信号を、複数のビームで前記複数のプリセットリソースで受信するステップを含む。
【００２２】
本発明の実施例では、ネットワーク装置は第１ビームで送信された複数のランダムアクセス信号を複数のビームで受信することができ、このようにして、ネットワーク装置は複数のビームのうちどのビームがランダムアクセス信号を受信する品質がよいかを検出することができ、たとえば、受信された複数のランダムアクセス信号のエネルギーを比較して、エネルギーが最も高い、ランダムアクセス信号に対応するビームを最もよい受信ビームとして決定する。ここで、複数のビームのビーム数が複数のランダムアクセス信号のランダムアクセス信号数以下であってもよく、たとえば、ビーム数がランダムアクセス信号数に等しい場合、１つのビームで１つのランダムアクセス信号を受信でき、ビーム数がランダムアクセス信号数より小さい場合、１つのビームで少なくとも２つのランダムアクセス信号を受信でき、たとえば、ある特定のビーム上で少なくとも２つのランダムアクセス信号を受信した場合、当該少なくとも２つのランダムアクセス信号の平均エネルギーを当該特定のビームの受信能力として決定することができ、又は当該少なくとも２つのランダムアクセス信号内のランダムアクセス信号の最も高いエネルギーを当該特定ビームの受信能力として決定することができる。
【００２３】
いくつかの実施形態では、前記ネットワーク装置が複数のプリセットリソース上で、送信された複数のランダムアクセス信号を受信するステップは、前記ネットワーク装置が、ビーム数が前記複数のランダムアクセス信号のランダムアクセス信号数以下である複数のビームで順に連続送信された前記複数のランダムアクセス信号を、第２ビームで前記複数のプリセットリソース上で受信するステップを含む。
【００２４】
本発明の実施例では、ネットワーク装置は端末装置が複数のビームで送信した複数のランダムアクセス信号を１つのビームで受信することができ、このようにして、ネットワーク装置は受信した複数のランダムアクセス信号のエネルギーに基づいて端末装置の最もよい又は比較的よい送信ビームを判断することができる。たとえば、ビーム数がランダムアクセス信号数に等しい場合、１つのビーム上で１つのランダムアクセス信号を送信でき、ビーム数がランダムアクセス信号数より小さい場合、１つのビームで少なくとも２つのランダムアクセス信号を送信でき、たとえば、ある特定のビーム上で少なくとも２つのランダムアクセス信号を送信する場合、当該少なくとも２つのランダムアクセス信号の平均エネルギーを当該特定のビームの受信能力として決定することができ、又は当該少なくとも２つのランダムアクセス信号内のランダムアクセス信号の最も高いエネルギーを当該特定ビームの受信能力として決定することができる。
【００２５】
いくつかの実施形態では、前記ネットワーク装置が、複数のビームで順に送信された前記複数のランダムアクセス信号を、第２ビームで前記複数のプリセットリソース上で受信した後、前記方法は、前記ネットワーク装置が前記複数のランダムアクセス信号の信号エネルギーに基づいて、前記複数のビームのうち前記端末装置がデータを伝送するための第３ビームを決定するステップをさらに含み、前記ランダムアクセス応答は、前記端末装置が前記第３ビームでデータを伝送することを指示するための第２指示情報を含む。
【００２６】
本発明の実施例では、ネットワーク装置は、ランダムアクセス信号のエネルギーに基づいて決定された最も優れた又は比較的優れたビームを、第２指示情報により指示された方式でランダムアクセス応答に含めることができ、たとえば、第３ビームであって、端末装置がランダムアクセス応答を検出した場合、ランダムアクセス応答における第２指示情報に基づいて最も優れた又は比較的優れた送信ビームを決定することができ、最も優れた又は比較的優れたビームでデータを伝送する。具体的には、当該第２指示情報は、ネットワーク装置に複数のランダムアクセス信号を送信する端末装置が第３ビームでデータを伝送することを指示することに用いられる。
【００２７】
第２態様は、ランダムアクセスのための方法を提供し、当該方法は、端末装置が複数のプリセットリソース上でネットワーク装置に複数のランダムアクセス信号を送信し、前記複数のプリセットリソース内の１つのプリセットリソースが前記複数のランダムアクセス信号内の１つのランダムアクセス信号に対応するステップと、前記端末装置が前記複数のプリセットリソースに基づいて、ネットワーク一時識別子ＲＮＴＩを決定するステップと、前記端末装置が前記ネットワーク装置により送信された前記複数のランダムアクセス信号のランダムアクセス応答を受信するステップと、前記端末装置が前記ＲＮＴＩを利用して前記ランダムアクセス応答を検出するステップと、を含む。
【００２８】
本発明の実施例では、端末装置は複数のプリセットリソース上でネットワーク装置に複数のランダムアクセス信号を送信することができ、当該複数のプリセットリソースはプロトコルによって規定された複数のプリセットリソースであってもよく、ネットワークによって設定された複数のプリセットリソースであってもよく、端末装置は複数のプリセットリソースを決定した後、当該プリセットリソースに基づいて自身のＲＮＴＩを決定でき、端末装置はネットワーク装置により送信されたランダムアクセス応答を受信した場合、自身のＲＮＴＩを利用してランダムアクセス応答を検出でき、如何に複数のプリセットリソースに基づいてＲＮＴＩを決定するかは、プロトコルによって規定されてもよく、それにより、端末装置がネットワークに正常にアクセスでき、さらにネットワーク装置との通信リンクを作成できる。端末装置が複数のランダムアクセス信号を送信する場合、ネットワーク装置が複数のランダムアクセス信号を受信した時、複数のランダムアクセス応答を返す可能性があり、各ランダムアクセス応答が異なるＲＮＴＩによりスクランブルされ、そのため、端末装置が、どのランダムアクセス応答がネットワーク装置により自身へ送信されるかを知らず、ネットワークにアクセスできなくなってしまうという問題を回避することができる。
【００２９】
選択肢として、端末装置が複数のプリセットリソース上でネットワーク装置に複数のランダムアクセス信号を送信することは、端末装置がネットワーク装置に前記複数のランダムアクセス信号を連続送信することであってもよく、ここでの連続送信はランダムアクセス応答を受信していない時にランダムアクセス信号を送信することを示し、即ち、本発明の実施例は連続送信がリソース上で連続的であるか否かを限定せず、ランダムアクセス応答を受信していない時前に特定の時間周波数リソース間隔で複数のランダムアクセス信号を送信することは、複数のランダムアクセス信号を連続送信すると呼称されてもよい。即ち、本発明の実施例は連続送信が特定のリソース上で連続であるか否かを限定しない。勿論、端末装置は複数のビームで複数のランダムアクセス信号を同時に送信することができる。
【００３０】
本発明の実施例では、前記端末装置が複数のプリセットリソース上でネットワーク装置に複数のランダムアクセス信号を送信する前に、前記方法は、前記端末装置が前記複数のプリセットリソースを決定するステップを含む。
【００３１】
本発明の実施例では、複数のプリセットリソースは、ネットワーク装置によって端末装置に指示されたものであってもよく、プロトコルによって規定されたものであってもよく、本発明の実施例はこれを制限しない。
【００３２】
いくつかの実施形態では、前記端末装置が前記複数のプリセットリソースを決定するステップは、前記端末装置がネットワーク装置により送信された第１指示情報を受信し、前記第１指示情報は複数のプリセットリソースセットを指示することに用いられ、前記複数のプリセットリソースセット内の各プリセットリソースセットの複数のプリセットリソース上で送信された複数のランダムアクセス信号は１つのランダムアクセス応答に対応するステップと、前記端末装置が前記第１指示情報により指示された前記複数のプリセットリソースセット内に第１プリセットリソースセットを決定するステップと、前記端末装置が前記第１プリセットリソースセット内に前記複数のプリセットリソースを決定するステップと、を含む。
【００３３】
本発明の実施例では、端末装置は第１指示情報を受信することができ、当該第１指示情報は複数のプリセットリソースセットを指示し、勿論、当該複数のプリセットリソースセットはプロトコルによって規定された複数のプリセットリソースセットであってもよく、ネットワーク装置及び端末装置はともに、プロトコルの規定に基づいて当該複数のプリセットリソースセットを取得することができる。当該複数のプリセットリソースセット内の各プリセットリソースセット内の要素はいずれも１つのランダムアクセス応答に対応し、即ち、各プリセットリソースセット内の要素はいずれも１つのＲＮＴＩに対応し、このようにして、１つのプリセットリソースセットが１つのランダムアクセス応答及び１つのＲＮＴＩに対応することを確保することができ、さらに、端末装置のために唯一のＲＮＴＩを決定することができる。
【００３４】
いくつかの実施形態では、前記第１指示情報は具体的には、前記複数のプリセットリソースセット内の各プリセットリソースセット内の第２プリセットリソース及びリソースオフセット量を指示することに用いられ、前記端末装置が前記複数のプリセットリソースを決定するステップは、前記端末装置が前記第１指示情報に基づいて第２プリセットリソースを決定するステップと、前記端末装置が前記第２プリセットリソース及び前記リソースオフセット量に基づいて前記複数のプリセットリソースにおける前記第２プリセットリソース以外の余剰プリセットリソースを決定するステップと、を含む。たとえば、当該第２プリセットリソースは各プリセットリソースセット内の一番目のプリセットリソースであってもよい。
【００３５】
いくつかの実施形態では、前記リソースオフセット量は、ルートシーケンス番号のオフセット、周波数領域リソースのオフセット、時間領域リソースのオフセット及びシーケンスの循環シフトのオフセットのうちの少なくとも１項を含む。
【００３６】
いくつかの実施形態では、前記端末装置が前記複数のプリセットリソースに基づいて、ＲＮＴＩを決定するステップは、前記端末装置が前記複数のプリセットリソース内の第１プリセットリソースに基づいて、前記ＲＮＴＩを決定するステップを含む。
【００３７】
本発明の実施例では、ネットワーク装置と端末装置とは第１プリセットリソースセット内の特定のプリセットリソースを採用してＲＮＴＩを計算することを予め協議し決定することができ、端末装置は、複数のプリセットリソース上で複数のランダムアクセス信号を送信する場合、当該複数のプリセットリソースが第１プリセットリソースセットに属すると決定でき、そして、当該第１プリセットリソースセット内の特定のプリセットリソースに基づいてＲＮＴＩを計算することができ、即ち、特定のプリセットリソースとＲＮＴＩとの間にマッピング関係が存在し、当該特定のプリセットリソースが複数のプリセットリソース内の一つのプリセットリソースであってもよく、複数のプリセットリソース内のプリセットリソースではなくてもよく、当該特定のプリセットリソースが当該複数のプリセットリソース内のプリセットリソースではない場合、端末装置は、当該複数のプリセットリソースが第１プリセットリソースセットに属すると判断すると、当該第１プリセットリソースセットの特定のプリセットリソースを推定でき、さらに、特定のプリセットリソースとＲＮＴＩとのマッピング関係に基づいてＲＮＴＩを決定することができる。
【００３８】
いくつかの実施形態では、前記端末装置が複数のプリセットリソース上でネットワーク装置に複数のランダムアクセス信号を送信するステップは、前記端末装置が第１ビームで前記複数のプリセットリソース上で前記ネットワーク装置に前記複数のランダムアクセス信号を連続送信するステップを含む。
【００３９】
本発明の実施例では、端末装置は第１ビームで前記複数のランダムアクセス信号を送信し、ネットワーク装置は１つのビーム又は複数のビームで複数のランダムアクセス信号を受信でき、ネットワーク装置は、複数のビームで複数のランダムアクセス信号を受信する場合、受信された複数のランダムアクセス信号に基づいて自身の最も優れた又は比較的優れたビームを決定することができる。
【００４０】
いくつかの実施形態では、前記端末装置が複数のプリセットリソース上でネットワーク装置に複数のランダムアクセス信号を送信するステップは、前記端末装置が、ビーム数が前記複数のランダムアクセス信号のランダムアクセス信号数以下である複数のビームで前記複数のプリセットリソース上で前記ネットワーク装置に前記複数のランダムアクセス信号を送信するステップを含む。
【００４１】
いくつかの実施形態では、前記端末装置が複数のビームで前記複数のプリセットリソース上で前記ネットワーク装置に前記複数のランダムアクセス信号を連続送信するステップは、前記端末装置が前記複数のビームで前記複数のプリセットリソース上で前記ネットワーク装置に前記複数のランダムアクセス信号を順に連続送信するステップを含む。
【００４２】
いくつかの実施形態では、前記ランダムアクセス応答は、前記端末装置が前記複数のビーム内の第３ビームでデータを伝送することを指示するための第２指示情報を含み、前記端末装置が前記ネットワーク装置により送信された前記複数のランダムアクセス信号のランダムアクセス応答を受信した後、前記方法は、前記端末装置が前記第２指示情報により指示された前記第３ビームでデータを伝送するステップをさらに含む。
【００４３】
本発明の実施例では、前記端末装置は複数のビームで複数のプリセットリソース上で複数のランダムアクセス信号を送信でき、即ち、同時に複数のビームで複数のプリセットリソース上で複数のランダムアクセス信号を送信でき、ネットワーク装置は複数のビームで前記複数のプリセットリソース上で受信でき、勿論、端末装置は複数のビーム上で前記ネットワーク装置に複数のランダムアクセス信号を１回で連続送信でき、ネットワーク装置は１つのビームで端末装置により送信された複数のランダムアクセス信号を１回で受信し、このようにして、ネットワーク装置は端末装置がランダムアクセス信号を送信する最も優れた又は比較的優れたビームを決定でき、ネットワーク装置により送信されたランダムアクセス応答に含まれた第２指示情報の方式で指示することができる。
【００４４】
いくつかの実施形態では、前記端末装置が前記ネットワーク装置により送信された前記複数のランダムアクセス信号のランダムアクセス応答を受信するステップは、前記端末装置が、前記複数のランダムアクセス信号の少なくとも１つのランダムアクセス応答ウィンドウ内に、前記ネットワーク装置により送信された前記複数のランダムアクセス信号のランダムアクセス応答を受信するステップを含む。
【００４５】
本発明の実施例では、複数のランダムアクセス信号は１つ又は複数のランダムアクセス応答ウィンドウを有し、複数のランダムアクセス信号が１つのランダムアクセス応答ウィンドウを有する場合、端末装置は複数のランダムアクセス信号を送信した後の特定の期間後に、当該ランダムアクセス応答ウィンドウを起動することができ、複数のランダムアクセス信号が複数のランダムアクセス応答ウィンドウを有する場合、たとえば、ランダムアクセス信号ごとに１つのランダムアクセス応答ウィンドウが対応する場合、端末装置は、当該複数のランダムアクセス信号を１回で連続送信でき、１つのランダムアクセス信号を送信した後の特定の期間度に、当該ランダムアクセス信号に対応するランダムアクセス応答ウィンドウを起動することができる。
【００４６】
いくつかの実施形態では、前記少なくとも１つのランダムアクセス応答ウィンドウ内の任意１つのランダムアクセス応答ウィンドウが終了する前に、前記端末装置が前記ネットワーク装置により送信された前記ランダムアクセス応答を受信すると、前記端末装置が前記ネットワーク装置への後続のランダムアクセス信号の送信を停止する。
【００４７】
いくつかの実施形態では、前記少なくとも１つのランダムアクセス応答ウィンドウ内の第１ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続け、又は、前記少なくとも１つのランダムアクセス応答ウィンドウ内の各ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続ける。
【００４８】
第３態様は、上記第１態様又は第１態様の任意可能な実施形態の方法を実行するためのランダムアクセスのための装置を提供する。具体的には、当該装置は、上記第１態様又は第１態様の任意可能な実施形態の方法を実行するためのユニットを備える。
【００４９】
第４態様は、上記第２態様又は第２態様の任意可能な実施形態の方法を実行するためのランダムアクセスのための装置を提供する。具体的には、当該装置は、上記第２態様又は第２態様の任意可能な実施形態の方法を実行するためのユニットを備える。
【００５０】
第５態様は、上記第３態様は又はその可能な実施形態の装置及び第４態様又はその可能な実施形態の装置を備えるランダムアクセスのためのシステムを提供する。
【００５１】
第６態様は、送受信機及びプロセッサを備えるランダムアクセスのための装置を提供し、当該ネットワーク装置は第１態様又はその任意可能な実施形態の方法を実行できる。
【００５２】
第７態様は、送受信機及びプロセッサを備えるランダムアクセスのための装置を提供し、当該端末装置は第２態様又はその任意可能な実施形態の方法を実行できる。
【００５３】
第８態様は、コンピュータ可読媒体を提供し、前記コンピュータ可読媒体はネットワーク装置により実行されるプログラムコードを記憶し、前記プログラムコードは第１態様又はその各種の実施形態の方法を実行するための指令を含む。
【００５４】
第９態様は、コンピュータ可読媒体を提供し、前記コンピュータ可読媒体は端末装置により実行されるプログラムコードを記憶し、前記プログラムコードは第２態様又はその各種の実施形態の方法を実行するための指令を含む。
【図面の簡単な説明】
【００５５】
【図１】図１は本発明の実施例に係るランダムアクセスのための方法の模式図である。
【図２】図２は本発明の実施例に係る他のランダムアクセスのための方法の模式図である。
【図３】図３は本発明の実施例に係るランダムアクセスのための装置の模式図である。
【図４】図４は本発明の実施例に係る他のランダムアクセスのための装置の模式図である。
【図５】図５は本発明の実施例に係るランダムアクセスのためのシステムの模式図である。
【図６】図６は本発明の実施例に係るランダムアクセスのための装置の模式図である。
【図７】図７は本発明の実施例に係る他のランダムアクセスのための装置の模式図である。
【発明を実施するための形態】
【００５６】
本発明の実施例の技術案は、各種の通信システム、たとえば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム、及び将来に出現する可能性がある通信システム等に適用できることを理解すべきである。
【００５７】
理解すべきなのはさらに理解すべきなのは、本発明の実施例では、端末装置は、ユーザー装置（Ｕｓｅｒ  Ｅｑｕｉｐｍｅｎｔ、「ＵＥ」と略称）、端末装置、モバイルステーション（Ｍｏｂｉｌｅ  Ｓｔａｔｉｏｎ、「ＭＳ」と略称）、移動端末（Ｍｏｂｉｌｅ  Ｔｅｒｍｉｎａｌ）又は将来５Ｇネットワークにおける端末装置等と呼称されてもよく、当該端末装置は無線アクセスネットワーク（Ｒａｄｉｏ  Ａｃｃｅｓｓ  Ｎｅｔｗｏｒｋ、「ＲＡＮ」と略称）を介して１つ又は複数のコアネットワークと通信でき、たとえば、端末は携帯電話（又は「セルラー」電話と呼称される）又は移動端末を有するコンピュータ等であってもよく、たとえば、端末は携帯型、ポケット型、手持ち型、コンピュータ内蔵型又は車載型の移動装置であってもよく、それらは無線アクセスネットワークと音声及び／又はデータを交換する。
【００５８】
ネットワーク装置は移動装置と通信することに用いられ、ネットワーク装置は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）におけるベーストランシーバ基地局（Ｂａｓｅ  Ｔｒａｎｓｃｅｉｖｅｒ  Ｓｔａｔｉｏｎ、「ＢＴＳ」と略称）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）における基地局（ＮｏｄｅＢ、「ＮＢ」と略称）であってもよく、ＬＴＥにおける進化型基地局（Ｅｖｏｌｕｔｉｏｎａｌ  Ｎｏｄｅ  Ｂ、「ｅＮＢ」又は「ｅＮｏｄｅＢ」と略称）、又は中継局又はアクセスポイント、又は車載装置、ウェアラブル装置及び将来５Ｇネットワークにおけるアクセスネットワーク装置であってもよい。
【００５９】
本発明の実施例では、端末装置がネットワーク装置に送信できるランダムアクセス信号はｐｒｅａｍｂｌｅであってもよく、たとえば、物理ランダムアクセスチャネル（Ｐｈｙｓｉｃａｌ  Ｒａｎｄｏｍ  Ａｃｃｅｓｓ  Ｃｈａｎｎｅｌ、「ＰＲＡＣＨ」と略称）上でランダムアクセス信号を送信でき、ネットワーク装置が端末装置により送信されたランダムアクセス信号を受信した後、ネットワーク装置が端末装置にランダムアクセス応答（Ｒａｎｄｏｍ  Ａｃｃｅｓｓ  Ｒｅｓｐｏｎｓｅ、「ＲＡＲ」と略称）を送信でき、当該ランダムアクセス応答は端末装置が成功にアクセスしたことを通知することに用いられる。
【００６０】
図１は本発明の実施例に係るランダムアクセスのための方法１００の例示なフローチャートを示す。図１は本発明の実施例に係るランダムアクセス方法のステップ又は操作を示すが、これらのステップ又は操作は例示的なものに過ぎず、本発明の実施例は他の操作又は図１の各操作の変形を実行することもでき、当該方法１００は以下のＳ１１０〜Ｓ１４０を含む。
【００６１】
Ｓ１１０、端末装置は複数のプリセットリソース上でネットワーク装置に複数のランダムアクセス信号を送信し、前記複数のプリセットリソース内の１つのプリセットリソースは前記複数のランダムアクセス信号内の１つのランダムアクセス信号に対応する。
【００６２】
選択可能な実施例としては、Ｓ１１０の前に、前記方法１００は、前記端末装置が前記複数のプリセットリソースを決定するステップを含む。複数のプリセットリソースは、ネットワーク装置によって端末装置に指示されたものであってもよく、プロトコルによって規定されたものであってもよく、本発明の実施例はこれを制限しない。
【００６３】
Ｓ１２０、前記端末装置は前記複数のプリセットリソースに基づいて、ネットワーク一時識別子ＲＮＴＩを決定する。
【００６４】
Ｓ１３０、前記端末装置は前記ネットワーク装置により送信された前記複数のランダムアクセス信号のランダムアクセス応答を受信する。
【００６５】
理解すべきなのは、端末装置が前記ランダムアクセス応答を受信することはブラインド検出で受信することであってもよく、ランダムアクセス応答を検出した場合、ＲＮＴＩを利用して検出する。
【００６６】
Ｓ１４０、前記端末装置は前記ＲＮＴＩを利用して前記ランダムアクセス応答を検出する。
【００６７】
従って、端末装置は複数のプリセットリソース上でネットワーク装置に複数のランダムアクセス信号を送信することができ、当該複数のプリセットリソースはプロトコルによって規定された複数のプリセットリソースであってもよく、ネットワークによって設定された複数のプリセットリソースであってもよく、端末装置は複数のプリセットリソースを決定した後、当該プリセットリソースに基づいて自身のＲＮＴＩを決定でき、端末装置はネットワーク装置により送信されたランダムアクセス応答を受信した場合、自身のＲＮＴＩを利用してランダムアクセス応答を検出でき、如何に複数のプリセットリソースに基づいてＲＮＴＩを決定するかは、プロトコルによって規定されてもよく、それにより、端末装置がネットワークに正常にアクセスでき、さらにネットワーク装置との通信リンクを作成できる。端末装置が複数のランダムアクセス信号を送信する場合、ネットワーク装置が複数のランダムアクセス信号を受信すると、複数のランダムアクセス応答を返す可能性があり、各ランダムアクセス応答が異なるＲＮＴＩによりスクランブルされ、そのため、端末装置が、どのランダムアクセス応答がネットワーク装置により自身へ送信されたかを知らず、ネットワークにアクセスできなくなってしまうという問題を回避することができる。
【００６８】
図２は本発明の実施例に係るランダムアクセスのための方法２００の例示なフローチャートを示す。図２は本発明の実施例に係るランダムアクセス方法のステップ又は操作を示すが、これらのステップ又は操作は例示的なものに過ぎず、本発明の実施例は他の操作又は図２の各操作の変形を実行することもでき、当該方法２００は以下のＳ２１０〜Ｓ２３０を含む。
【００６９】
Ｓ２１０、ネットワーク装置は複数のプリセットリソース上で複数のランダムアクセス信号を受信し、前記複数のプリセットリソース内の１つのプリセットリソースは前記複数のランダムアクセス信号内の１つのランダムアクセス信号に対応する。
【００７０】
理解すべきなのは、ネットワーク装置が複数のプリセットリソース上で複数のランダムアクセス信号を受信することは、ネットワーク装置がブラインド検出で受信することであってもよい。
【００７１】
選択可能な実施例としては、Ｓ２１０の前に、前記方法２００は、前記ネットワーク装置が前記複数のランダムアクセス信号のランダムアクセス応答をＲＮＴＩによってスクランブルすると決定するステップをさらに含む。
【００７２】
具体的には、複数のプリセットリソースは予め規定されたリソースであってもよく、当該複数のプリセットリソース上で複数のランダムアクセス信号を送信する限り、当該複数のランダムアクセス信号のために１つのランダムアクセス応答を返すだけでよく、従って、ネットワーク装置は当該複数のプリセットリソース上で当該複数のランダムアクセス信号を受信し、且つ当該複数のプリセットリソースに基づいて１つのＲＮＴＩを決定することができ、このようにして、ネットワーク装置は、当該複数のプリセットリソース上で受信された複数のランダムアクセス信号のランダムアクセス応答をＲＮＴＩによってスクランブルすると決定することができ、ネットワーク装置が前記複数のプリセットリソース上で前記複数のランダムアクセス信号を受信する場合ではないと、たとえば、複数の第１プリセットリソース上で複数のランダムアクセス信号の第１部分ランダムアクセス信号を受信し、複数の第２プリセットリソース上で複数のランダムアクセス信号の余剰の第２部分ランダムアクセス信号を受信する可能性がある場合、ネットワーク装置は、第１部分ランダムアクセス信号のために１つのランダムアクセス応答を返し、第２部分ランダムアクセス信号のために１つのランダムアクセス応答を返す必要があり、且つネットワーク装置は、複数の第１プリセットリソースに基づいて第１ＲＮＴＩを決定し、第１ＲＮＴＩを利用して第１部分ランダムアクセス信号のランダムアクセス応答をスクランブルし、複数の第２プリセットリソースに基づいて第２ＲＮＴＩを決定し、第２ＲＮＴＩを利用して第２部分ランダムアクセス信号のランダムアクセス応答をスクランブルする必要がある。
【００７３】
Ｓ２２０、前記ネットワーク装置は前記複数のプリセットリソースに基づいてネットワーク一時識別子ＲＮＴＩを決定する。
【００７４】
Ｓ２３０、前記ネットワーク装置は前記ＲＮＴＩによりスクランブルされた前記複数のランダムアクセス信号のランダムアクセス応答を送信する。
【００７５】
選択可能な実施例としては、Ｓ２３０は、前記ネットワーク装置が第１プリセットリソースセットに含まれるすべてのプリセットリソース上で前記複数のランダムアクセス信号を受信した後、前記ネットワーク装置が前記ＲＮＴＩによりスクランブルされたランダムアクセス応答を送信するステップを含み、前記すべてのプリセットリソースは前記複数のプリセットリソースを含む。
【００７６】
具体的には、ネットワーク装置は第１プリセットリソースセット内のすべてのプリセットリソースを検出することができ、すべてのプリセットリソース上で複数のランダムアクセス信号を受信した後、ネットワーク装置は複数のランダムアクセス信号のランダムアクセス応答を送信し、即ち、第１プリセットリソースセットに含まれるプリセットリソースの個数は複数のランダムアクセス信号数と同じであり、又は、ネットワーク装置は、第１プリセットリソースセット内の少なくとも２つのプリセットリソース上で少なくとも２つのランダムアクセス信号を受信する限り、余剰のプリセットリソースを検出せず、当該少なくとも２つのプリセットリソース上で受信された少なくとも２つのランダムアクセス信号のために、１つのＲＮＴＩを利用してスクランブルされた１つのランダムアクセス応答を返すことができ、即ち、ここでの少なくとも２つのプリセットリソースは前記複数のプリセットリソースであってもよく、少なくとも２つのランダムアクセス信号は前記複数のランダムアクセス信号であってもよく、このようにして、ネットワーク装置が第１プリセットリソースセット内のすべてのプリセットリソースを検出した後にランダムアクセス応答を送信することを回避することができ、ランダムアクセス遅延を低減させることができる。
【００７７】
従って、ネットワーク装置は複数のプリセットリソース上で複数のランダムアクセス信号を受信すると、当該複数のランダムアクセス信号のために１つのランダムアクセス応答を返し、且つ複数のプリセットリソースにより決定されたＲＮＴＩ識別子を利用してスクランブルし、このようにして端末装置はランダムアクセス応答を受信すると、ＲＮＴＩに基づいてランダムアクセス応答を検出し、ネットワーク装置により自身へ送信されたランダムアクセス応答であると決定し、それによりネットワークに正常にアクセスでき、ネットワーク装置との通信リンクを作成でき、それによりネットワーク装置と端末装置とは正常に通信することができる。
【００７８】
理解すべきなのは、本発明の実施例では、ＲＮＴＩはランダムアクセスネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ、「ＲＮ−ＲＮＴＩ」と略称）であってもよい。
【００７９】
選択可能な実施例としては、Ｓ１２０は、前記端末装置が前記複数のプリセットリソース内の第１プリセットリソースに基づいて、前記ＲＮＴＩを決定するステップを含む。Ｓ２２０は、前記ネットワーク装置が前記複数のプリセットリソース内の第１プリセットリソースに基づいて前記ＲＮＴＩを決定するステップを含む。ネットワーク装置と端末装置とは第１プリセットリソースセット内の特定のプリセットリソースを採用してＲＮＴＩを計算することを予め協議し決定することができ、即ち、特定のプリセットリソースとＲＮＴＩとの間にマッピング関係が存在し、当該特定のプリセットリソースが複数のプリセットリソース内の一つのプリセットリソースであってもよい。端末装置は、複数のプリセットリソース上で複数のランダムアクセス信号を送信する場合、当該複数のプリセットリソースが第１プリセットリソースセットに属すると決定でき、そして、当該第１プリセットリソースセット内の特定のプリセットリソースに基づいてＲＮＴＩを計算することができる。ネットワーク装置は、複数のプリセットリソース上で複数のランダムアクセス信号を受信した場合、当該複数のプリセットリソースが第１プリセットリソースセットに属すると決定でき、そして、当該第１プリセットリソースセット内の特定のプリセットリソースに基づいてＲＮＴＩを計算することができ、当該特定のプリセットリソースが複数のプリセットリソース内の一つのプリセットリソースであってもよく、複数のプリセットリソース内のプリセットリソースではなくてもよく、当該特定のプリセットリソースが当該複数のプリセットリソース内のプリセットリソースではない場合、ネットワーク装置及び端末装置は当該複数のプリセットリソースが第１プリセットリソースセットに属すると判断すると、当該第１プリセットリソースセットの特定のプリセットリソースを推定でき、さらに、特定のプリセットリソースとＲＮＴＩとのマッピング関係に基づいてＲＮＴＩを決定することができる。
【００８０】
選択可能な実施例としては、Ｓ２１０の前に、方法２００は、前記ネットワーク装置が第１指示情報を送信し、前記第１指示情報が複数のプリセットリソースセットを指示することに用いられ、前記複数のプリセットリソースセット内の各プリセットリソースセットの複数のプリセットリソース上で送信された複数のランダムアクセス信号が１つのランダムアクセス応答に対応し、前記複数のプリセットリソースセットが第１プリセットリソースセットを含み、前記第１プリセットリソースセットが前記複数のプリセットリソースを含むステップをさらに含み、Ｓ２１０は、前記ネットワーク装置が前記第１プリセットリソースセットに含まれる前記複数のプリセットリソース上で前記複数のランダムアクセス信号を受信するステップを含む。前記端末装置が前記複数のプリセットリソースを決定するステップは、前記端末装置がネットワーク装置により送信された第１指示情報を受信し、前記端末装置が前記第１指示情報により指示された前記複数のプリセットリソースセット内に第１プリセットリソースセットを決定するステップと、前記端末装置が前記第１プリセットリソースセット内に前記複数のプリセットリソースを決定するステップと、を含む。たとえば、ネットワーク装置はブロードキャスト、マルチキャスト又はユニキャストの方式で複数の端末装置に第１指示情報を送信することができ、方法１００における端末装置は前記複数の端末装置のうちの１つであってもよい。
【００８１】
具体的には、当該第１指示情報は複数のプリセットリソースセットを指示し、勿論、当該複数のプリセットリソースセットはプロトコルによって規定された複数のプリセットリソースセットであってもよく、ネットワーク装置及び端末装置はともに、プロトコルの規定に基づいて当該複数のプリセットリソースセットを取得することができる。当該複数のプリセットリソースセット内の各プリセットリソースセット内の要素はいずれも１つのランダムアクセス応答に対応し、即ち、各プリセットリソースセット内の要素はいずれも１つのＲＮＴＩに対応し、このようにして、１つのプリセットリソースセットが１つのランダムアクセス応答及び１つのＲＮＴＩに対応することを確保することができ、さらに、端末装置のために唯一のＲＮＴＩを決定することができる。
【００８２】
選択可能な実施例としては、前記第１指示情報は具体的には、前記複数のプリセットリソースセット内の各プリセットリソースセット内の第２プリセットリソース及びリソースオフセット量を指示することに用いられる。前記端末装置が前記複数のプリセットリソースを決定するステップは、前記端末装置が前記第１指示情報に基づいて第２プリセットリソースを決定するステップと、前記端末装置が前記第２プリセットリソース及び前記リソースオフセット量に基づいて、前記複数のプリセットリソースにおける前記第２プリセットリソース以外の余剰プリセットリソースを決定するステップと、を含む。
【００８３】
選択可能な実施例としては、前記リソースオフセット量は、ルートシーケンス番号のオフセット、周波数領域リソースのオフセット、時間領域リソースのオフセット及びシーケンスの循環シフトのオフセットのうちの少なくとも１項を含む。
【００８４】
具体的には、リソースオフセット量が各プリセットリソースセット内の各プリセットリソースの第２プリセットリソースに対するリソースオフセット量であってもよく、各プリセットリソースセットのすべてのプリセットリソースが１つの共通のリソースオフセット量を有してもよい。第１指示情報は、第１プリセットリソースセット［Ｐ＿１、Ｐ＿２、…、Ｐ＿Ｎ］内のＰ＿１に対応するリソース（利用可能なシーケンス、時間領域、周波数領域のリソースを含む）、及び後続のＰ＿２、…、Ｐ＿ＮのＰ＿１に対するオフセット量（ｏｆｆｓｅｔ）を指示することができ、端末装置はＰ＿１に対応するリソース及びオフセット量を組み合わせてＰ＿２、…、Ｐ＿Ｎに対応するリソースを導き出すことができ、勿論、前記オフセット量は、Ｐ＿２、…、Ｐ＿ＮのＰ＿１に対するオフセット量であってもよく、各Ｐ＿ｉ（ｉ＝２、…、Ｎ）の前のＰ＿（ｉ−１）に対するオフセット量であってもよい。
【００８５】
選択可能な実施例としては、Ｓ１１０は、前記端末装置が第１ビームで前記複数のプリセットリソース上で前記ネットワーク装置に前記複数のランダムアクセス信号を連続送信するステップを含む。Ｓ２１０は、前記ネットワーク装置が、第１ビームで前記複数のプリセットリソース上で送信された前記複数のランダムアクセス信号を、ビーム数が前記複数のランダムアクセス信号のランダムアクセス信号数以下である複数のビームで前記複数のプリセットリソース上で受信するステップを含む。
【００８６】
具体的には、ネットワーク装置は、端末装置が第１ビームで送信した複数のランダムアクセス信号を複数のビームで受信することができ、このようにして、ネットワーク装置は複数のビームのうちどのビームがランダムアクセス信号を受信する品質がよいかを検出することができ、たとえば、受信された複数のランダムアクセス信号のエネルギーを比較して、エネルギーが最も高いランダムアクセス信号に対応するビームを最もよい受信ビームとして決定する。ここで、複数のビームのビーム数が複数のランダムアクセス信号のランダムアクセス信号数以下であってもよく、たとえば、ビーム数がランダムアクセス信号数に等しい場合、１つのビームで１つのランダムアクセス信号を受信でき、ビーム数がランダムアクセス信号数より小さい場合、１つのビームで少なくとも２つのランダムアクセス信号を受信でき、たとえば、ある特定のビーム上で少なくとも２つのランダムアクセス信号を受信した場合、当該少なくとも２つのランダムアクセス信号の平均エネルギーを当該特定のビームの受信能力として決定することができ、又は当該少なくとも２つのランダムアクセス信号内のランダムアクセス信号の最も高いエネルギーを当該特定ビームの受信能力として決定することができる。
【００８７】
選択可能な実施例としては、Ｓ１１０は、前記端末装置が、ビーム数が前記複数のランダムアクセス信号のランダムアクセス信号数以下である複数のビームで前記複数のプリセットリソース上で前記ネットワーク装置に前記複数のランダムアクセス信号を送信するステップを含む。選択肢として、前記端末装置が複数のビームで前記複数のプリセットリソース上で前記ネットワーク装置に前記複数のランダムアクセス信号を連続送信するステップは、前記端末装置が前記複数のビームで前記複数のプリセットリソース上で前記ネットワーク装置に前記複数のランダムアクセス信号を順に連続送信するステップを含む。Ｓ２１０は、前記ネットワーク装置が、ビーム数が前記複数のランダムアクセス信号のランダムアクセス信号数以下である複数のビームで順に連続送信された前記複数のランダムアクセス信号を、第２ビームで前記複数のプリセットリソース上で受信するステップを含む。
【００８８】
具体的には、ネットワーク装置は端末装置が複数のビームで送信した複数のランダムアクセス信号を１つのビームで受信することができ、このようにして、ネットワーク装置は受信した複数のランダムアクセス信号のエネルギーに基づいて、端末装置の最もよい又は比較的よい送信ビームを判断することができる。たとえば、ビーム数がランダムアクセス信号数に等しい場合、１つのビーム上で１つのランダムアクセス信号を送信でき、ビーム数がランダムアクセス信号数より小さい場合、１つのビームで少なくとも２つのランダムアクセス信号を送信でき、たとえば、ある特定のビーム上で少なくとも２つのランダムアクセス信号を送信した場合、当該少なくとも２つのランダムアクセス信号の平均エネルギーを当該特定のビームの受信能力として決定することができ、又は当該少なくとも２つのランダムアクセス信号内のランダムアクセス信号の最も高いエネルギーを当該特定ビームの受信能力として決定することができる。
【００８９】
選択可能な実施例としては、前記ネットワーク装置が、複数のビームで順に送信された前記複数のランダムアクセス信号を、第２ビームで前記複数のプリセットリソース上で受信した後、前記方法２００は、前記ネットワーク装置が前記複数のランダムアクセス信号の信号エネルギーに基づいて、前記複数のビームのうちデータを伝送するための第３ビームを決定するステップをさらに含み、前記ランダムアクセス応答は、前記端末装置が前記複数のビーム内の第３ビームでデータを伝送することを指示するための第２指示情報を含み、Ｓ１１０の後、前記方法１００は、前記端末装置が前記第２指示情報により指示された前記第３ビームでデータを伝送するステップをさらに含む。
【００９０】
具体的には、前記端末装置は複数のビームで複数のプリセットリソース上で複数のランダムアクセス信号を送信でき、即ち、同時に複数のビームで複数のプリセットリソース上で複数のランダムアクセス信号を送信でき、ネットワーク装置は複数のビームで前記複数のプリセットリソース上で受信でき、勿論、端末装置は複数のビーム上で前記ネットワーク装置に複数のランダムアクセス信号を１回で連続送信でき、ネットワーク装置は１つのビームで端末装置により送信された複数のランダムアクセス信号を１回で受信し、このようにして、ネットワーク装置は端末装置がランダムアクセス信号を送信する最も優れた又は比較的優れたビームを決定でき、ネットワーク装置により送信されたランダムアクセス応答に含まれた第２指示情報の方式で指示することができる。
【００９１】
理解すべきなのは、端末装置は、１つのビームで複数のランダムアクセス信号を順に送信してもよく、又は複数のビームで複数のランダムアクセス信号を順に連続送信又は同時に送信してもよく、ネットワーク装置は、１つのビームで複数のランダムアクセス信号を順に受信してもよく、又は複数のビームで複数のランダムアクセス信号を順に受信又は同時に受信してもよい。端末装置が１つのビームで送信しネットワーク装置が複数のビームで受信する場合、ネットワーク装置は受信したランダムアクセス信号のエネルギーに基づいて最も優れた又は比較的優れた受信ビームを決定することができ、端末装置が複数のビームで複数のランダムアクセス信号を送信し、ネットワーク装置が１つのビームで受信する場合、ネットワーク装置は端末装置の最も優れた又は比較的優れた送信ビームを決定することができ、当該最も優れた又は比較的優れた送信ビームの関連情報をランダムアクセス応答に含めて送信することができる。
【００９２】
選択可能な実施例としては、Ｓ１３０は、前記端末装置が、前記複数のランダムアクセス信号の少なくとも１つのランダムアクセス応答ウィンドウ内に、前記ネットワーク装置により送信された前記複数のランダムアクセス信号のランダムアクセス応答を受信するステップを含む。複数のランダムアクセス信号は１つ又は複数のランダムアクセス応答ウィンドウを有し、複数のランダムアクセス信号が１つのランダムアクセス応答ウィンドウを有する場合、端末装置は複数のランダムアクセス信号を送信した後の特定の期間後に、当該ランダムアクセス応答ウィンドウを起動することができ、複数のランダムアクセス信号が複数のランダムアクセス応答ウィンドウを有する場合、たとえば、ランダムアクセス信号ごとに１つのランダムアクセス応答ウィンドウが対応する場合、端末装置は、当該複数のランダムアクセス信号を１回で連続送信でき、１つのランダムアクセス信号を送信した後の特定の期間度に、当該ランダムアクセス信号に対応するランダムアクセス応答ウィンドウを起動することができる。
【００９３】
選択可能な実施例としては、前記方法１００は、前記少なくとも１つのランダムアクセス応答ウィンドウ内の任意１つのランダムアクセス応答ウィンドウが終了する前に、前記端末装置が前記ネットワーク装置により送信された前記ランダムアクセス応答を受信すると、前記端末装置が前記ネットワーク装置への後続のランダムアクセス信号の送信を停止するステップをさらに含む。
【００９４】
具体的には、任意１つのランダムアクセス応答ウィンドウが終了する前に、端末装置がネットワーク装置により送信されたランダムアクセス応答を受信した限り、端末装置がネットワーク装置への送信されていないランダムアクセス信号の送信を停止することができ、即ち、端末装置がランダムアクセス応答を受信した限り、ランダムアクセスが成功したと見なされ、後続のランダムアクセス信号を送信する必要がなくなり、このようにして、シグナリングオーバーヘッドを節約することができる。たとえば、ネットワーク装置と端末装置とは１０個のプリセットリソース上で１０個のランダムアクセス信号を送信することをプロトコルによって規定することができ、端末装置は５つのランダムアクセス信号を送信した後、ランダムアクセス応答ウィンドウでランダムアクセス応答を検出すると、端末装置は後続の送信されていない余剰の５つのランダムアクセス信号の送信を停止することができる。勿論、ランダムアクセスの信頼性を確保するために、端末装置は後続の送信されていないランダムアクセス信号の送信を停止しなくてもよい。
【００９５】
選択可能な実施例としては、前記方法１００は、前記少なくとも１つのランダムアクセス応答ウィンドウ内の第１ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続けるステップ、又は、前記少なくとも１つのランダムアクセス応答ウィンドウ内の各ランダムアクセス応答ウィンドウが終了したが、前記端末装置が前記ネットワーク装置により送信された前記ランダムアクセス応答を受信していないと、前記端末装置が前記ネットワーク装置に後続のランダムアクセス信号を送信し続けるステップをさらに含む。
【００９６】
具体的には、複数のランダムアクセス信号は１つ又は複数のランダムアクセス応答ウィンドウを有し、複数のランダムアクセス信号が１つのランダムアクセス応答ウィンドウを有し、第１ランダムアクセス応答ウィンドウと呼称する場合、端末装置は、当該ランダムアクセス応答ウィンドウが終了した後、ネットワーク装置により送信されたランダムアクセス応答を受信していないと、ランダムアクセス信号を再送信する必要があり、又は、複数のランダムアクセス信号が複数のランダムアクセス応答ウィンドウを有する場合、特定のランダムアクセス応答ウィンドウ、たとえば第１ランダムアクセス応答ウィンドウが終了したが、端末装置は、ネットワーク装置により送信されたランダムアクセス応答を受信していないと、ネットワーク装置にランダムアクセス信号を再送信し続け、当該第１ランダムアクセス応答ウィンドウは端末装置が一番目に送信したランダムアクセス信号に対応するランダムアクセス応答ウィンドウであってもよい。
【００９７】
図３は本願実施例に係るランダムアクセスのための装置３００の例示なブロック図であり、当該装置は方法１００における端末装置であってもよい。図３に示すように、当該装置３００は、送信モジュール３１０、処理モジュール３２０、及び受信モジュール３３０を備える。
【００９８】
送信モジュール３１０は、複数のプリセットリソース上でネットワーク装置に複数のランダムアクセス信号を送信することに用いられ、前記複数のプリセットリソース内の１つのプリセットリソースが前記複数のランダムアクセス信号内の１つのランダムアクセス信号に対応する。
【００９９】
処理モジュール３２０は、前記複数のプリセットリソースに基づいて、ネットワーク一時識別子ＲＮＴＩを決定することに用いられる。
【０１００】
受信モジュール３３０は、前記ネットワーク装置により送信された前記複数のランダムアクセス信号のランダムアクセス応答を受信することに用いられる。
【０１０１】
前記処理モジュール３２０はさらに、前記ＲＮＴＩを利用して前記ランダムアクセス応答を検出することに用いられる。
【０１０２】
選択可能な実施例としては、前記処理モジュール３２０はさらに、複数のプリセットリソース上でネットワーク装置に複数のランダムアクセス信号を送信する前に、前記複数のプリセットリソースを決定することに用いられる。
【０１０３】
選択可能な実施例としては、前記受信モジュール３３０はさらに、ネットワーク装置により送信された第１指示情報を受信することに用いられ、前記第１指示情報は複数のプリセットリソースセットを指示することに用いられ、前記複数のプリセットリソースセット内の各プリセットリソースセットの複数のプリセットリソース上で送信された複数のランダムアクセス信号は１つのランダムアクセス応答に対応し、前記処理モジュール３２０は具体的には、前記第１指示情報により指示された前記複数のプリセットリソースセット内に第１プリセットリソースセットを決定し、且つ前記第１プリセットセット内に前記複数のプリセットリソースを決定することに用いられる。
【０１０４】
選択可能な実施例としては、前記第１指示情報は具体的には、前記複数のプリセットリソースセット内の各プリセットリソースセット内の第２プリセットリソース及びリソースオフセット量を指示することに用いられ、前記処理モジュール３２０は具体的にはさらに、前記第１指示情報に基づいて第２プリセットリソースを決定し、且つ前記第２プリセットリソース及び前記リソースオフセット量に基づいて、前記複数のプリセットリソースにおける前記第２プリセットリソース以外の余剰プリセットリソースを決定することに用いられる。
【０１０５】
選択可能な実施例としては、前記リソースオフセット量は、ルートシーケンス番号のオフセット、周波数領域リソースのオフセット、時間領域リソースのオフセット及びシーケンスの循環シフトのオフセットのうちの少なくとも１項を含む。
【０１０６】
選択可能な実施例としては、前記処理モジュール３２０は具体的にはさらに、前記複数のプリセットリソース内の第１プリセットリソースに基づいて、前記ＲＮＴＩを決定することに用いられる。
【０１０７】
選択可能な実施例としては、前記送信モジュール３１０は具体的には、第１ビームで前記複数のプリセットリソース上で前記ネットワーク装置に前記複数のランダムアクセス信号を連続送信することに用いられる。
【０１０８】
選択可能な実施例としては、前記送信モジュール３１０は具体的にはさらに、ビーム数が前記複数のランダムアクセス信号のランダムアクセス信号数以下である複数のビームで前記複数のプリセットリソース上で前記ネットワーク装置に前記複数のランダムアクセス信号を送信することに用いられる。
【０１０９】
選択可能な実施例としては、前記送信モジュール３１０は具体的にはさらに、前記複数のビームで前記複数のプリセットリソース上で前記ネットワーク装置に前記複数のランダムアクセス信号を順に連続送信することに用いられる。
【０１１０】
選択可能な実施例としては、前記ランダムアクセス応答は、前記装置が前記複数のビーム内の第３ビームでデータを伝送することを指示するための第２指示情報を含み、前記装置３００は、前記ネットワーク装置により送信された前記複数のランダムアクセス信号のランダムアクセス応答を受信した後、前記第２指示情報により指示された前記第３ビームでデータを伝送することに用いられる伝送モジュールをさらに備える。
【０１１１】
選択可能な実施例としては、前記受信モジュール３３０は具体的には、前記複数のランダムアクセス信号の少なくとも１つのランダムアクセス応答ウィンドウ内に、前記ネットワーク装置により送信された前記複数のランダムアクセス信号のランダムアクセス応答を受信することに用いられる。
【０１１２】
選択可能な実施例としては、前記処理モジュール３２０はさらに、前記少なくとも１つのランダムアクセス応答ウィンドウ内の任意１つのランダムアクセス応答ウィンドウが終了する前に、前記受信モジュールが前記ネットワーク装置により送信された前記ランダムアクセス応答を受信すると、前記ネットワーク装置への後続のランダムアクセス信号の送信を停止することに用いられる。
【０１１３】
選択可能な実施例としては、前記送信モジュール３１０はさらに、前記少なくとも１つのランダムアクセス応答ウィンドウ内の第１ランダムアクセス応答ウィンドウが終了したが、前記受信モジュールが前記ネットワーク装置により送信された前記ランダムアクセス応答を受信していないと、前記ネットワーク装置に後続のランダムアクセス信号を送信し続けること、又は
前記少なくとも１つのランダムアクセス応答ウィンドウ内の各ランダムアクセス応答ウィンドウが終了したが、前記受信モジュールが前記ネットワーク装置により送信された前記ランダムアクセス応答を受信していないと、前記ネットワーク装置に後続のランダムアクセス信号を送信し続けることに用いられる。
【０１１４】
図４は本願実施例に係るランダムアクセスのための装置４００の例示なブロック図であり、当該装置は方法２００におけるネットワーク装置であってもよい。図４に示すように、当該装置４００は、受信モジュール４１０、決定モジュール４２０、及び送信モジュール４３０を備える。
【０１１５】
受信モジュール４１０は、複数のプリセットリソース上で複数のランダムアクセス信号を受信することに用いられ、前記複数のプリセットリソース内の１つのプリセットリソースが前記複数のランダムアクセス信号内の１つのランダムアクセス信号に対応する。
【０１１６】
決定モジュール４２０は、前記複数のプリセットリソースに基づいてネットワーク一時識別子ＲＮＴＩを決定することに用いられる。
【０１１７】
送信モジュール４３０は、前記ＲＮＴＩによりスクランブルされた前記複数のランダムアクセス信号のランダムアクセス応答を送信することに用いられる。
【０１１８】
選択可能な実施例としては、前記決定モジュール４２０はさらに、前記ＲＮＴＩによりスクランブルされた前記複数のランダムアクセス信号のランダムアクセス応答を送信する前に、前記複数のランダムアクセス信号のランダムアクセス応答を前記ＲＮＴＩによってスクランブルすると決定することに用いられる。
【０１１９】
選択可能な実施例としては、前記決定モジュール４２０は具体的には、前記複数のプリセットリソース内の第１プリセットリソースに基づいて前記ＲＮＴＩを決定することに用いられる。
【０１２０】
選択可能な実施例としては、前記送信モジュール４３０はさらに、複数のプリセットリソース上で複数のランダムアクセス信号を受信する前に、第１指示情報を送信することに用いられ、前記第１指示情報は複数のプリセットリソースセットを指示することに用いられ、前記複数のプリセットリソースセット内の各プリセットリソースセットの複数のプリセットリソース上で送信された複数のランダムアクセス信号は１つのランダムアクセス応答に対応し、前記複数のプリセットリソースセットは第１プリセットリソースセットを含み、前記第１プリセットリソースセットは前記複数のプリセットリソースを含み、前記受信モジュール４１０は具体的には、前記第１プリセットリソースセットに含まれる前記複数のプリセットリソース上で前記複数のランダムアクセス信号を受信することに用いられる。
【０１２１】
選択可能な実施例としては、前記送信モジュール４３０は具体的には、前記第１プリセットリソースセットに含まれるすべてのプリセットリソース上で前記複数のランダムアクセス信号を受信した後、前記ＲＮＴＩによりスクランブルされたランダムアクセス応答を送信することに用いられ、前記すべてのプリセットリソースは前記複数のプリセットリソースを含む。
【０１２２】
選択可能な実施例としては、前記第１指示情報は具体的には、前記複数のプリセットリソースセット内の各プリセットリソースセット内の第２プリセットリソース及びリソースオフセット量を指示することに用いられる。
【０１２３】
選択可能な実施例としては、前記リソースオフセット量は、ルートシーケンス番号のオフセット、周波数領域リソースのオフセット、時間領域リソースのオフセット及びシーケンスの循環シフトのオフセットのうちの少なくとも１項を含む。
【０１２４】
選択可能な実施例としては、前記受信モジュール４１０は具体的には、第１ビームで前記複数のプリセットリソース上で送信された前記複数のランダムアクセス信号を、ビーム数が前記複数のランダムアクセス信号のランダムアクセス信号数以下である複数のビームで前記複数のプリセットリソース上で受信することに用いられる。
【０１２５】
選択可能な実施例としては、前記受信モジュール４１０は具体的にはさらに、ビーム数が前記複数のランダムアクセス信号のランダムアクセス信号数の以下である複数のビームで順に連続送信された前記複数のランダムアクセス信号を、第２ビームで前記複数のプリセットリソース上で受信することに用いられる。
【０１２６】
選択可能な実施例としては、前記決定モジュール４２０はさらに、複数のビームで順に送信された前記複数のランダムアクセス信号を、第２ビームで前記複数のプリセットリソース上で受信した後、前記複数のランダムアクセス信号の信号エネルギーに基づいて、前記複数のビームのうちデータを伝送するための第３ビームを決定することに用いられ、前記ランダムアクセス応答は、前記第３ビームでデータを伝送することを指示するための第２指示情報を含む。
【０１２７】
図５は本発明の実施例に係るランダムアクセスのためのシステム５００の模式図を示し、装置３００及び装置４００を備える。
【０１２８】
図６は本願実施例に係るランダムアクセスのための装置６００の例示なブロック図であり、たとえば当該装置は方法１００における端末装置であってもよい。図６に示すように、当該装置６００は送受信機６１０及びプロセッサ６２０を備える。
【０１２９】
送受信機６１０は、複数のプリセットリソース上でネットワーク装置に複数のランダムアクセス信号を送信することに用いられ、前記複数のプリセットリソース内の１つのプリセットリソースが前記複数のランダムアクセス信号内の１つのランダムアクセス信号に対応し、プロセッサ６２０は、前記複数のプリセットリソースに基づいて、ネットワーク一時識別子ＲＮＴＩを決定することに用いられ、送受信機６１０はさらに、前記ネットワーク装置により送信された前記複数のランダムアクセス信号のランダムアクセス応答を受信することに用いられ、プロセッサ６２０はさらに、前記ＲＮＴＩを利用して前記ランダムアクセス応答を検出することに用いられる。
【０１３０】
理解すべきなのは、当該装置６００は方法１００における端末装置に対応でき、方法１００における端末装置の対応する機能を実現でき、簡潔にするために、ここで繰り返し説明しない。
【０１３１】
図７は本願実施例に係るランダムアクセスのための装置７００の例示なブロック図であり、当該装置は方法２００におけるネットワーク装置であってもよい。図７に示すように、当該装置７００は送受信機７１０及びプロセッサ７２０を備える。
【０１３２】
送受信機７１０は、複数のプリセットリソース上で複数のランダムアクセス信号を受信し、前記複数のプリセットリソース内の１つのプリセットリソースが前記複数のランダムアクセス信号内の１つのランダムアクセス信号に対応することに用いられ、プロセッサ７２０は、前記複数のプリセットリソースに基づいてネットワーク一時識別子ＲＮＴＩを決定することに用いられ、送受信機７１０はさらに、前記ＲＮＴＩによりスクランブルされた前記複数のランダムアクセス信号のランダムアクセス応答を送信することに用いられる。
【０１３３】
理解すべきなのは、当該装置７００は方法２００におけるネットワーク装置に対応でき、方法２００におけるネットワーク装置の対応する機能を実現でき、簡潔にするために、ここで繰り返し説明しない。
【０１３４】
理解すべきなのは、本発明の実施例では、プロセッサ６２０及びプロセッサ７２０は中央処理装置（ＣＰＵ、Ｃｅｎｔｒａｌ  Ｐｒｏｃｅｓｓｉｎｇ  Ｕｎｉｔ）であってもよく、プロセッサは他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、離散ゲート又はトランジスタロジックデバイス、個別ハードウェア部品等であってもよい。汎用プロセッサはマイクロプロセッサであってもよく、又は当該プロセッサは任意通常のプロセッサ等であってもよい。
【０１３５】
理解すべきなのは、本明細書の用語「及び／又は」は、関連対象の関連関係を説明するためのものに過ぎず、３つの関係が存在していることを示し、たとえば、Ａ及び／又はＢは、Ａが単独で存在すること、Ａ及びＢが同時に存在すること、Ｂが単独で存在することの３つの状況を示す。また、本明細書の文字「／」は、一般的に前後の関連対象が「又は」の関係を持つことを示す。
【０１３６】
理解すべきなのは、本発明の各実施例では、上記各過程の番号は実行順序を意味せず、各過程の実行順序はその機能及び内部ロジックにより決められ、本発明の実施例の実施過程を限定しない。
【０１３７】
当業者であれば、本明細書に開示されている実施例に説明された各例示的ユニット及びアルゴリズムステップは、電子ハードウェア、又はコンピュータソフトウェアと電子ハードウェアとの組み合わせで実現できることを理解できる。これらの機能がハードウェアそれともソフトウェア形態で実行されるかは、技術案の特定応用及び設計制約条件に決められる。当業者は各特定のアプリケーションに対して異なる方法で説明された機能を実現することができ、この実現は本発明の範囲を超えると見なされるべきではない。
【０１３８】
当業者は、説明の便宜及び簡潔さのために、上記説明されたシステム、装置及びユニットの具体的な作動過程が、前述の方法実施例における対応する過程を参照することができ、ここで繰り返し説明しないことを明確に理解できる。
【０１３９】
本発明のいくつかの実施例では、開示されたシステム、装置及び方法は、他の方式で実現されてもよいことを理解されるべきである。たとえば、上記説明された装置実施例は例示的なものに過ぎず、たとえば、前記ユニットの分割は、ロジック機能の分割だけであり、実際に実現する時に他の分割方法を有してもよく、たとえば、複数のユニット又は構成要素を組み合わせてもよく、又は他のシステムに集積してもよく、又は一部の特徴を無視してもよく、又は実行しなくてもよい。また、表示又は検討される相互結合又は直接結合又は通信接続は、いくつかのインタフェース、装置又はユニットを介した間接結合又は通信接続であってもよく、電気的、機械的又は他の形態のものであってもよい。
【０１４０】
前記分離部材として説明されるユニットは、物理的に分離されてもよく、物理的に分離されなくてもよく、ユニットとして示される部材は、物理ユニットであってもよく、物理ユニットでなくてもよく、即ち、１つの場所に位置してもよく、又は複数のネットワークユニットに分布してもよい。実際の必要に応じてそのうちの一部又は全部ユニットを選択して本実施例の技術案の目的を実現することができる。
【０１４１】
また、本発明の各実施例における各機能ユニットは１つの処理ユニットに集積されてもよく、各ユニットは単独で物理的に存在してもよく、２つ又は２つ以上のユニットは１つのユニットに集積されてもよい。
【０１４２】
前記機能は、ソフトウェア機能ユニットの形態で実現され、独立した製品として販売又は使用される場合、コンピュータ可読記憶媒体に記憶されることができる。このような理解に基づき、本発明の技術案本質的に、又は従来技術に寄与する部分、又は当該技術案の一部は、ソフトウェア製品の形態で表現することができ、当該コンピュータソフトウェア製品は１つの記憶媒体に記憶され、一台のコンピュータ装置（パーソナルコンピュータ、サーバ、又はネットワーク装置等であってもよい）に本発明の各実施例に記載の方法の全部又は一部のステップを実行させるための複数の指令を含む。前述の記憶媒体は、Ｕディスク、モバイルディスク、読み出し専用メモリ（ＲＯＭ、Ｒｅａｄ  Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶できる様々な媒体を含む。
【０１４３】
以上は、本発明の具体的な実施形態に過ぎず、本発明の保護範囲を制限するためのものではなく、当業者は本発明に開示された技術範囲内に、変化や置換を容易に想到でき、それらの変化や置換は本発明の保護範囲内に含まれる。従って、本発明の保護範囲は特許請求の範囲の保護範囲を根拠とすべきである。
【図１】
0006896861.tif 000002
【図２】
0006896861.tif 000003
【図３】
0006896861.tif 000004
【図４】
0006896861.tif 000005
【図５】
0006896861.tif 000006
【図６】
0006896861.tif 000007
【図７】
0006896861.tif 000008